(57)【要約】この発明は、電界及び磁界の作用による痛みの治療に使用される衣類に関する。本発明の好ましい実施形態では、衣類は、導電性ワイヤーを有するバンドと、そのバンドの端の二つの磁石と、を有する。
2006520637.tif 000002
【特許請求の範囲】
【請求項１】
バンド（２）と、
バンドに固定される一つ又はそれ以上の導電性ワイヤー（３）と、
前記バンド（２）に固定された二つ又はそれ以上の磁石（５）と、
を有することを特徴とする痛みの治療及び減少に使用される衣類。
【請求項２】
ウエスト部分に設けたバンド（２）を特徴とする請求項１記載の衣類。
【請求項３】
伸縮性バンド（２）を特徴とする請求項１又は２記載の衣類。
【請求項４】
糸の太さを有するワイヤー（３）を特徴とする請求項１乃至３のいずれか一項に記載の衣類。
【請求項５】
ストリップの幅を有するワイヤー（３）を特徴とする請求項１乃至４のいずれか一項に記載の衣類。
【請求項６】
バンド内に他の糸と一緒に織り込まれたワイヤー（３）を特徴とする請求項１乃至５のいずれか一項に記載の衣類。
【請求項７】
ワイヤーより太い糸で作られたバンドを特徴とする請求項６記載の衣類。
【請求項８】
バンドに接着されるワイヤー（３）を特徴とする請求項１乃至５のいずれか一項に記載の衣類。
【請求項９】
全長に沿って延びるワイヤー（３）を有するバンドを特徴とする請求項１乃至８のいずれか一項に記載の衣類。
【請求項１０】
ある程度まで延びるワイヤーを有するバンドを特徴とする請求項１乃至８のいずれか一項に記載の衣類。
【請求項１１】
絶縁材料によって被覆されたワイヤーを特徴とする請求項１乃至１０のいずれか一項に記載の衣類。
【請求項１２】
開放端を有するバンドを特徴とする請求項１乃至１１のいずれか一項に記載の衣類。
【請求項１３】
高い係数を有する延性材料で作られたワイヤーを特徴とする請求項１乃至１２のいずれか一項に記載の衣類。
【請求項１４】
ジグザグにバンドに付けられたワイヤーを特徴とする請求項１乃至１３のいずれか一項に記載の衣類。
【請求項１５】
バンドに波状に付けられたワイヤーを特徴とする請求項１乃至１４のいずれか一項に記載の衣類。
【請求項１６】
直列接続を有するワイヤーを特徴とする請求項１乃至１５のいずれか一項に記載の衣類。
【請求項１７】
並列接続を有するワイヤーを特徴とする請求項１乃至１６のいずれか一項に記載の衣類。
【請求項１８】
磁石（５）の配置のための二つ又はそれ以上のポケット（４）を有する請求項１乃至１７のいずれか一項に記載の衣類。
【請求項１９】
バンドの端から、折り返されて縫われることによって形成されたポケットを特徴とする請求項１８記載の衣類。
【請求項２０】
バンド上に別の布の追加によって形成されたポケットを特徴とする請求項１８記載の衣類。
【請求項２１】
０．５〜１３０００ガウスを有する磁石を特徴とする請求項１乃至２０のいずれか一項に記載の衣類。
【請求項２２】
０．０５〜１０ｍｍの厚さを有する磁石を特徴とする請求項１乃至２１のいずれか一項に記載の衣類。
【請求項２３】
電源によって誘導される金属心の形態の磁石を特徴とする請求項１乃至２２のいずれか一項に記載の衣類。
【請求項２４】
同じ極（分極）を有する磁石を特徴とする請求項１乃至２３のいずれか一項に記載の衣類。
【請求項２５】
異なる極（分極）を有する磁石を特徴とする請求項１乃至２３のいずれか一項に記載の衣類。
【請求項２６】
開放端の間に、０．５〜５０ｍｍの距離を有するバンドを特徴とする請求項１乃至２５のいずれか一項に記載の衣類。
【請求項２７】
開放端を互いに保持するためのホルダ（６）を有するバンドを特徴とする請求項２６記載の衣類。
【請求項２８】
プラスチック材料で作られたホルダを特徴とする請求項２６及び２７記載の衣類。
【請求項２９】
幅を調節することができるベルト形態のホルダを有するバンドを特徴とする請求項２６及び２８記載の衣類。
【請求項３０】
パンツの形態を有し、使い捨て可能な材料で作られていることを特徴とする請求項１乃至２９のいずれか一項に記載の衣類。
【請求項３１】
セルロース及び／又はプラスチックの素材で作られていることを特徴とする請求項３０に記載の衣類。
【請求項３２】
股部分に衛生パッドを有することを特徴とする請求項３１及び３２記載の衣類。
【発明の詳細な説明】
【技術分野】
【０００１】
この発明は、電界及び磁界の作用による痛み治療用の衣類に関する。
【背景技術】
【０００２】
既知のように、流れを変える磁界内の導体中の変化に対する反応として、電流が発生する（レンツの法則）。その上、磁界がかけられ、磁流により一方の側に電子が集まることにより電流を収容する導体中に電位差が生ずる（ホール効果）。同様に、荷電粒子の運動が電界中の導体中で変化する。
【０００３】
７５％の溶解塩を含む水からなる人間を含む有機体は、実質的に、複雑な電解質系である。これらの有機体では、血漿のような液体が、細胞、及びニューロンと呼ばれる神経細胞と密接に関連している。同様に、ニューロンの細胞質は、溶解した塩化カリウム（ＫＣｌ）を含む。その溶液は、溶解したＫ+及びＣｌ-イオンにより、導電性の見込みを得る。電圧Ｖ（ボルト）が、一般に、電解質液と呼ばれる溶液に印加されると、溶液は、電流Ｉ（アンペア）に対して一定量の抵抗Ｒ（オーム）を示す（オームの法則）。この結果、導体内の電流の二乗及び抵抗に正比例して熱が生じる。金属中の電子に代わる、負に帯電したイオンが、電界及び磁界の効果により上述した見込みを電解質に与える。
【０００４】
有機体について上述した電界及び磁界の効果は、数年間知られている。この目的において、種々の医薬、磁気療法及び電気療法として知られている痛み緩和法及び関係した手段が開発されてきた。
【０００５】
到達水準では、米国特許第４４８０５９６号が、身体の腰部分を磁流に曝す伸縮性ベルトを記載する。この発明では、ベルトに取り付けたり、取り外したりすることができる多くの一時的な磁石が、磁気源として利用される。
【０００６】
先行技術では、スイス国特許（ＣＨ）第１１８４６１６号が、二層の皮革及び磁気粒子を有する袖無し衣類を開示している。
【０００７】
英国特許（ＧＢ）第２３７７１７９号が、二つの開放端に一時的な磁石を取り付けたリストバンドを記載する。この発明では、好ましくは、ステンレススチールで作られ、かつ、磁気見込みの無い金属プレートが、磁石が取り付けられたハウジング内にたぶん配置される。磁石の極は、互いに向かい合っている。
【０００８】
２４のバイオ磁石（bio-magnets）を有するパンツが、ＵＲＬアドレスhhp:www.buyamag.com/cgi-bin/html/panties.htm.に示されている。
【０００９】
別の実施形態としての米国特許（ＵＳ）第４７６５３１０号が、磁石で作られた磁界、及び、コイルに磁石によって引き起こされた電位差に接続された電界の共通の作用によって治療に使用される装置を開示する。
【００１０】
英国特許（ＧＢ）第２３６８２８７号が、磁気的に誘導され得る長い心と、前記心の周囲に巻き付けられた絶縁された導電性ワイヤーを有する装置とを記載する。この発明では、前記ワイヤーは、身体から伝導される電流をとらえ、且つ、身体の治療に利用される磁界を誘導する。この発明を衣類に加えることができる。その上、心材料は、グリッドとして波打ち、且つ、伸縮性バンドとして使用することができる。
【００１１】
在来の適用では、多くの複雑な実施形態が使用されてきた。加えて、これらの実施形態は、電界及び磁界を別々に利用し、かつ、両方を利用したそれらの実施形態では、多くの困難に遭遇した。
【発明の開示】
【発明が解決しようとする課題】
【００１２】
この発明の目的は、磁界及び電界の両方を使用して、速くて有効な痛み治療のための簡単な構造を有する、生産及び購入が容易な衣類を実現することにある。
【００１３】
本発明の上述した目的を達成するために実現した衣類を、添付図面に示している。
【発明を実施するための最良の形態】
【００１４】
痛み治療のためのこの発明の主題である衣類（１）は、ズボン、パンツ、スカート等として生産することができる。
【００１５】
衣類（１）のウエスト部分にストリップからなるバンド（２）にワイヤー（３）がある。前記バンドは、好ましくは伸縮性である。ワイヤーをバンド上に配置するために、ワイヤーを他の種類の糸と一緒に織り込まれてもよいし（図３参照）、或いは、ワイヤーを、布地に糊付けによって、又は他の方法によって取り付けてもよい。導電性ワイヤー（３）は、バンド（図２参照）の全長に沿って延びてもよいし、或いは、ある程度まで延びなくともよい。導電性ワイヤー（３）がバンドの全長に沿って延びるならば、バンドの端を、短絡を防止するために、開放状態にしておくべきである。ワイヤーと皮膚との接触を回避するために、バンドを絶縁材料によって覆ってもよいし、或いは、ワイヤーと皮膚との間の距離を、ワイヤーより太い糸により増大させてもよい。
【００１６】
あらゆるバンドに使用されるワイヤーは、好ましくは、銅や金のような高い導電率を有する延性金属から生産される。直線の仕方の代わりにワイヤーのジグザグ又はシヌソイドの波状の適用は、身体の運動中ワイヤーが切れるのを防止する。本発明の他の実施形態では、ワイヤーを直列接続又は並列接続として使用してもよい。
【００１７】
どんな場合にも、好ましくは、二つの磁石（５）が、バンド（２）の開放端、又は、ワイヤーの欠けた部分に配置される。これらの磁石（５）は、好ましくは、ポケット（４）に取り付けられる。これらのポケット（４）は、バンドの両端から折り返され、縫いつけられることによって形成される（図２参照）。他方、ポケットを、一つ以上のポケットの形成、及び、衣類に磁石の置き換え又は種々の使用を可能にする別の布地を加えることによって形成してもよい。磁石は、痛みを治療する身体部分に従って配置されるべきである。例えば、月経痛を和らげるために、磁石は、身体の前部分に、特に卵子の直ぐ近くに配置される。背中の痛みを治療する場合、前記磁石は、身体の背中部分に配置される。
【００１８】
０．５〜１３０００ガウス、好ましくは、１２５００ガウスの磁束密度を有する磁石（５）が好ましい。磁石の厚さが０．０５〜１０ｍｍであることが重要である。磁石は、円、四角、三角等の形状である。電源によって誘導される金属心形態の磁石を使用することもできる。磁石の両極（分極）は、好ましくは、同じであるが、もちろん異なってもよい。
【００１９】
バンドの二つの端が開放して使用されるならば、これらの前記端は、ポケットに通るホルダ（６）によって互いに保持される（図１及び図２参照）。ホルダ又はバンドの二つの端の間の距離が電流及び磁石の有効磁界を決定するので、前記距離は、身体の痛みの強さにより決定されるべきである。本発明の好ましい実施形態では、前記距離は、０．５〜５０ｍｍである。
【００２０】
本発明の他の実施形態では、前記ホルダ（６）は、痛みの強さ及びユーザーの大きさに応じてバンド長さ及び距離の調節を可能にするため、ベルトのように、ホルダの幅を調節することができるように形成される。
【００２１】
本発明の好ましい実施形態では、衣類は綿布で作られる。
【００２２】
本発明の他の実施形態では、衣類は、パンツとして、かつ、ユーザーが製品を容易に処分するために使い捨て可能な材料で生産される。前記使い捨て可能な材料は、セルロース及び／又はプラスチックを素材とするのがよい。その上、衛生パッドを製品の股に加えてもよい。
【００２３】
本発明の好ましい実施形態では、衣類は、綿布で作られたパンツの形状をなしている。バンドは、細いワイヤーとともに合成糸の波形織りによってゴムとして生産される。その後、端を折り返し、縫いつけてポケットを形成する。心極性を同じにして磁石を、これらのポケットの中に入れ、バンドの二つの端を、ポケットに通すホルダ手段によって連結する。バンドを、磁石面が正面部分と面するように、パンツに縫い付ける。
【００２４】
本発明の主題である衣類は、種々の痛み、特に生理期間中、卵子の痛みの治療を提供する。本発明の主題である衣類を着用するユーザーは、卵子領域上に有効である、ポケット内の磁石によって形成された磁界を有する。この領域は、卵子内のニューロン及び血漿中の塩化カリウムイオンの移動に影響を及ぼす。その上、導電性銅ワイヤー中に、磁石によって誘導された電流が発生し、前記電流は、磁界及び電界の形成に寄与する。この二重の効果は、痛みの治療に有益である。４５〜６０分で痛みが和らぐことが、ひどい生理痛を有するユーザーで観察された。
【００２５】
本発明の主題である衣類は、電界及び磁界の作用により痛みの治療又は軽減において有効であることが理解される。この衣類の生産は、容易かつ省コストである。
【図面の簡単な説明】
【００２６】
【図１】衣類の断面図である。
【図２】衣類の詳細図である。
【図３】衣類の断面図である。
【符号の説明】
【００２７】
１  衣類
２  バンド
３  ワイヤー
４  ポケット
５  磁石
６  ホルダ
【図１】
2006520637.tif 000003
【図２】
2006520637.tif 000004
【図３】
2006520637.tif 000005
【国際調査報告】
2006520637.tif 000006
2006520637.tif 000007
2006520637.tif 000008